(57)【要約】【課題】チャネル状態情報を効率的に送信する。【解決手段】無線通信システムにおいて、基地局装置と端末装置が、効率的に端末装置、基地局装置、通信方法、および、集積回路を提供することを目的とし、チャネル状態情報算出用参照信号を受信する受信部と、を備え、ＰＤＳＣＨ受信に用いるＱＣＬ想定と、チャネル状態情報算出用参照信号の受信に用いるＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて、ＣＱＩインデックスを算出する。【選択図】図１
2020025215.tif 000002
【特許請求の範囲】
【請求項１】
端末装置であって、
第１のサービングセルの第１のチャネル状態情報算出用参照信号を受信する受信部を備え、
ＰＤＳＣＨ受信に用いる第１のＱＣＬ想定と、前記第１のチャネル状態情報算出用参照信号の受信に用いる第２のＱＣＬ想定とが異なるかどうかに基づいて、
あるスロットが有効なダウンリンクスロットかを判定し、前記有効なダウンリンクスロットに基づいて、ＣＳＩ参照リソースを判定し、
前記ＣＳＩ参照リソースに基づいて、ＣＱＩインデックスを算出する、
端末装置。
【請求項２】
前記第１および／または第２のＱＣＬ想定は、受信空間パラメータである、請求項１に記載の端末装置。
【請求項３】
前記第１のチャネル状態情報算出用参照信号は、周期的またはセミパーシステントの送信方法が適用される、請求項１または２に記載の端末装置。
【請求項４】
請求項１または２に記載の端末装置であって、
前記第１のサービングセルの上りリンクグラントを示す第1のＰＤＣＣＨを受信する受
信部、
とを備え、
前記第１のチャネル状態情報算出用参照信号は、周期的またはセミパーシステントまたは非周期的の送信方法が適用され、前記第1のＰＤＣＣＨにて前記第１のチャネル状態情
報算出用参照信号を用いる第1のチャネル状態報告要求を受信し、
前記第1のチャネル状態報告要求に対応したスロットが有効なダウンリンクスロットで
ない場合に、チャネル状態報告を含めず第１の上りリンク信号を送信する、
端末装置。
【請求項５】
前記第１の上りリンク信号はＰＤＳＣＨへのＨＡＲＱ応答信号または上りリンクデータとする、請求項４に記載の端末装置。
【請求項６】
請求項１または２に記載の端末装置であって、
前記第１のサービングセルの上りリンクグラントを示す第1のＰＤＣＣＨを受信する受
信部を備え、前記第１のチャネル状態情報算出用参照信号は、周期的またはセミパーシステントまたは非周期的の送信方法が適用され、前記第1のＰＤＣＣＨにて前記第１のチャ
ネル状態情報算出用参照信号を用いる第1のチャネル状態報告要求を受信し、
前記第1のチャネル状態報告要求に対応したスロットが有効なダウンリンクスロットで
ない場合に、
前記第1のＰＤＣＣＨで指示された上りリンク信号を送信しない、
端末装置。
【請求項７】
基地局装置であって、
第１のサービングセルの第１のチャネル状態情報算出用参照信号を送信する送信部と、ＰＤＳＣＨを送信する送信部と、
を備え、
ＰＤＳＣＨ受信に用いる第１のＱＣＬ想定と、前記第１のチャネル状態情報算出用参照信号の受信に用いる第２のＱＣＬ想定とが異なるかどうかに基づいて、
あるスロットが有効なダウンリンクスロットかを判定し、前記有効なダウンリンクスロットに基づいて、ＣＳＩ参照リソースを判定し、
前記ＣＳＩ参照リソースに基づいて参照されたＣＱＩインデックスを受信する、
基地局装置。
【請求項８】
端末装置の通信方法であって、
第１のサービングセルの第１のチャネル状態情報算出用参照信号を受信し
ＰＤＳＣＨ受信に用いる第１のＱＣＬ想定と、前記第１のチャネル状態情報算出用参照信号の受信に用いる第２のＱＣＬ想定とが異なるかどうかに基づいて、
あるスロットが有効なダウンリンクスロットかを判定し、前記有効なダウンリンクスロットに基づいて、ＣＳＩ参照リソースを判定し、
前記ＣＳＩ参照リソースに基づいて、ＣＱＩインデックスを算出する、
通信方法。
【請求項９】
基地局装置の通信方法であって、
第１のサービングセルの第１のチャネル状態情報算出用参照信号を送信し、ＰＤＳＣＨを送信し、
ＰＤＳＣＨ受信に用いる第１のＱＣＬ想定と、前記第１のチャネル状態情報算出用参照信号の受信に用いる第２のＱＣＬ想定とが異なるかどうかに基づいて、
あるスロットが有効なダウンリンクスロットかを判定し、前記有効なダウンリンクスロットに基づいて、ＣＳＩ参照リソースを判定し、
前記ＣＳＩ参照リソースに基づいて算出されるＣＱＩインデックスを受信する、
通信方法。
【請求項１０】
端末装置に実装される集積回路であって、
第１のサービングセルの第１のチャネル状態情報算出用参照信号を受信する受信手段と、ＰＤＳＣＨを受信する受信手段と、
を備え、
ＰＤＳＣＨ受信に用いる第１のＱＣＬ想定と、前記第１のチャネル状態情報算出用参照信号の受信に用いる第２のＱＣＬ想定とが異なるかどうかに基づいて、
あるスロットが有効なダウンリンクスロットかを判定し、前記有効なダウンリンクスロットに基づいて、ＣＳＩ参照リソースを判定し、
前記ＣＳＩ参照リソースに基づいて、ＣＱＩインデックスを算出する、
集積回路。
【請求項１１】
基地局装置に実装される集積回路であって、
第１のサービングセルの第１のチャネル状態情報算出用参照信号を送信する送信手段と、ＰＤＳＣＨを送信する送信手段と、
を備え、
ＰＤＳＣＨ受信に用いる第１のＱＣＬ想定と、前記第１のチャネル状態情報算出用参照信号の受信に用いる第２のＱＣＬ想定とが異なるかどうかに基づいて、
あるスロットが有効なダウンリンクスロットかを判定し、前記有効なダウンリンクスロットに基づいて、ＣＳＩ参照リソースを判定し、
前記ＣＳＩ参照リソースに基づいて算出されるＣＱＩインデックスを受信する、
集積回路。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency
Communication）、IoT（Internet of Things）などマシン型デバイスが多数接続するmMTC（massive Machine Type Communication）の3つがサービスの想定シナリオとして要求されている。
【先行技術文献】
【非特許文献】
【０００４】
【非特許文献１】RP-161214, NTT DOCOMO, “Revision of SI: Study on New Radio Access Technology”, 2016年6月
【発明の概要】
【発明が解決しようとする課題】
【０００５】
本発明の目的は、上記のような無線通信システムにおいて、効率的な通信を可能とする端末装置、基地局装置、通信方法、および、集積回路を提供することを目的とする。
【課題を解決するための手段】
【０００６】
（１）上記の目的を達成するために、本発明の態様は、以下のような手段を講じた。すなわち、本発明の一態様における端末装置は、第１のサービングセルの第１のチャネル状態情報算出用参照信号を受信する受信部を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて、ＣＱＩインデックスを算出する。
【０００７】
（２）また、本発明の一態様における端末装置において、前記第１のサービングセルの上りリンクグラントを示す第１のＰＤＣＣＨを受信する受信部を備え、前記第１のチャネル状態情報算出用参照信号は、周期的またはセミパーシステントまたは非周期的の送信方法が適用され、前記第１のＰＤＣＣＨにて前記第１のチャネル状態情報算出用参照信号を用いる第1のチャネル状態報告要求を受信し、前記第1のチャネル状態報告要求に対応したスロットが有効なダウンリンクスロットでない場合に、チャネル状態報告を含めず第１の上りリンク信号を送信する。
【０００８】
（３）また、本発明の一態様における端末装置において、前記第１のサービングセルの上りリンクグラントを示す第１のＰＤＣＣＨを受信する受信部を備え、前記第１のチャネル状態情報算出用参照信号は、周期的またはセミパーシステントまたは非周期的の送信方法が適用され、前記第１のＰＤＣＣＨにて前記第１のチャネル状態情報算出用参照信号を用いる第1のチャネル状態報告要求を受信し、前記第1のチャネル状態報告要求に対応した
スロットが有効なダウンリンクスロットでない場合に、前記第１のＰＤＣＣＨで指示された上りリンク信号を送信しない。
【０００９】
（４）また、本発明の一態様における基地局装置は、第１のサービングセルの第１のチャネル状態情報算出用参照信号を送信する送信部と、ＰＤＳＣＨを送信する送信部と、を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて参照されたＣＱＩインデックスを受信する。
【００１０】
（５）また、本発明の一態様における通信方法は、第１のサービングセルの第１のチャネル状態情報算出用参照信号を受信しＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて、ＣＱＩインデックスを算出する。
【００１１】
（６）また、本発明の一態様における通信方法は、基地局装置の通信方法であって、第１のサービングセルの第１のチャネル状態情報算出用参照信号を送信し、ＰＤＳＣＨを送信し、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて算出されるＣＱＩインデックスを受信する。
【００１２】
（７）また、本発明の一態様における集積回路は、端末装置に実装される集積回路であって、第１のサービングセルの第１のチャネル状態情報算出用参照信号を受信する受信手段と、ＰＤＳＣＨを受信する受信手段と、を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて、ＣＱＩインデックスを算出する。
【００１３】
（８）また、本発明の一態様における集積回路は、基地局装置に実装される集積回路であって、第１のサービングセルの第１のチャネル状態情報算出用参照信号を送信する送信手段と、ＰＤＳＣＨを送信する送信手段と、を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて算出されるＣＱＩインデックスを受信する。
【発明の効果】
【００１４】
この発明によれば、基地局装置と端末装置が、効率的に通信することができる。
【図面の簡単な説明】
【００１５】
【図１】本実施形態における無線通信システムの概念を示す図である。
【図２】本実施形態における上りリンクおよび下りリンクスロットの概略構成の一例を示す図である。
【図３】サブフレーム、スロット、ミニスロットの時間領域における関係を示した図である。
【図４】スロットまたはサブフレームの一例を示す図である。
【図５】ビームフォーミングの一例を示した図である。
【図６】ＱＣＬ設定の一例を示す図である。
【図７】本実施形態における端末装置１の構成を示す概略ブロック図である。
【図８】本実施形態における基地局装置３の構成を示す概略ブロック図である。
【発明を実施するための形態】
【００１６】
以下、本発明の実施形態について説明する。
【００１７】
図１は、本実施形態における無線通信システムの概念図である。図１において、無線通信システムは、端末装置１Ａ、端末装置１Ｂ、および基地局装置３を具備する。以下、端末装置１Ａ、および、端末装置１Ｂを、端末装置１とも称する。
【００１８】
端末装置１は、ユーザ端末、移動局装置、通信端末、移動機、端末、ＵＥ（User Equipment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、Ｔ
ＲＰ（Transmission and Reception Point）、ｇＮＢとも称される。基地局装置３は、コアネットワーク装置を含んでも良い。また、基地局装置３は、１つまたは複数の送受信点４（ｔｒａｎｓｍｉｓｓｉｏｎ  ｒｅｃｅｐｔｉｏｎ  ｐｏｉｎｔ）を具備しても良い。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、１つのセルを複数の部分領域（Ｂｅａｍｅｄ  ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００１９】
基地局装置３から端末装置１への無線通信リンクを下りリンクと称する。端末装置１から基地局装置３への無線通信リンクを上りリンクと称する。
【００２０】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２１】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００２２】
なお、本実施形態ではＯＦＤＭを伝送方式としてＯＦＤＭシンボルで説明するが、上述の他の伝送方式の場合を用いた場合も本発明に含まれる。
【００２３】
また、図１において、端末装置１と基地局装置３の間の無線通信では、ＣＰを用いない
、あるいはＣＰの代わりにゼロパディングをした上述の伝送方式が用いられてもよい。また、ＣＰやゼロパディングは前方と後方の両方に付加されてもよい。
【００２４】
図１において、端末装置１と基地局装置３の無線通信では、以下の物理チャネルが用いられる。
【００２５】
・ＰＢＣＨ（Physical Broadcast CHannel）
・ＰＤＣＣＨ（Physical Downlink Control CHannel）
・ＰＤＳＣＨ（Physical Downlink Shared CHannel）
・ＰＵＣＣＨ（Physical Uplink Control CHannel）
・ＰＵＳＣＨ（Physical Uplink Shared CHannel）
・ＰＲＡＣＨ（Physical Random Access CHannel）
【００２６】
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００２７】
また、ＰＢＣＨは、同期信号のブロック（ＳＳ／ＰＢＣＨブロックとも称する）の周期内の時間インデックスを報知するために用いられてよい。ここで、時間インデックスは、セル内の同期信号およびＰＢＣＨのインデックスを示す情報である。例えば、３つの送信ビーム（送信フィルタ設定、受信空間パラメータに関する擬似同位置（ＱＣＬ：Quasi Co-Location））の想定を用いてＳＳ／ＰＢＣＨブロックを送信する場合、予め定められた
周期内または設定された周期内の時間順を示してよい。また、端末装置は、時間インデックスの違いを送信ビームの違いと認識してもよい。
【００２８】
ＰＤＣＣＨは、下りリンクの無線通信（基地局装置３から端末装置１への無線通信）において、下りリンク制御情報（Downlink Control Information: DCI）を送信する（また
は運ぶ）ために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００２９】
例えば、以下のＤＣＩフォーマットが定義されてよい。
・ＤＣＩフォーマット０＿０
・ＤＣＩフォーマット０＿１
・ＤＣＩフォーマット１＿０
・ＤＣＩフォーマット１＿１
・ＤＣＩフォーマット２＿０
・ＤＣＩフォーマット２＿１
・ＤＣＩフォーマット２＿２
・ＤＣＩフォーマット２＿３
【００３０】
ＤＣＩフォーマット０＿０は、ＰＵＳＣＨのスケジューリング情報（周波数領域リソース割当及び時間領域リソース割当）を示す情報を含んでよい。
【００３１】
ＤＣＩフォーマット０＿１は、ＰＵＳＣＨのスケジューリング情報（周波数領域リソース割当及び時間領域リソース割当）を示す情報、帯域部分（ＢＷＰ：BandWidth Part）を示す情報、チャネル状態情報（ＣＳＩ：Channel State Information）要求、サウンディ
ング参照信号（ＳＲＳ：Sounding Reference Signal）要求、アンテナポートに関する情
報を含んでよい。ここで、チャネル状態情報要求はＣＳＩリクエストとも称する。またサウンディング参照信号要求はＳＲＳリクエストとも称する。
【００３２】
ＤＣＩフォーマット１＿０は、ＰＤＳＣＨのスケジューリング情報（周波数領域リソース割当及び時間領域リソース割当）を示す情報を含んでよい。
【００３３】
ＤＣＩフォーマット１＿１は、ＰＤＳＣＨのスケジューリング情報（周波数領域リソース割当及び時間領域リソース割当）を示す情報、帯域部分（ＢＷＰ）を示す情報、送信設定指示（ＴＣＩ：Transmission Configuration Indication）、アンテナポートに関する
情報を含んでよい。
【００３４】
ＤＣＩフォーマット２＿０は、１つまたは複数のスロットのスロットフォーマットを通知するために用いられる。スロットフォーマットは、スロット内の各ＯＦＤＭシンボルが下りリンク、フレキシブル、上りリンクのいずれかに分類されたものとして定義される。例えば、スロットフォーマットが２８の場合、スロットフォーマット２８が指示されたスロット内の１４シンボルのＯＦＤＭシンボルに対してＤＤＤＤＤＤＤＤＤＤＤＤＦＵが適用される。ここで、Ｄが下りリンクシンボル、Ｆがフレキシブルシンボル、Ｕが上りリンクシンボルである。なお、スロットについては後述する。
【００３５】
ＤＣＩフォーマット２＿１は、端末装置１に対して、送信がないと想定してよい物理リソースブロックとＯＦＤＭシンボルを通知するために用いられる。なお、この情報はプリエンプション指示（間欠送信指示）と称してよい。
【００３６】
ＤＣＩフォーマット２＿２は、ＰＵＳＣＨおよびＰＵＳＣＨのための送信電力制御（ＴＰＣ：Transmit Power Control）コマンドの送信のために用いられる。
【００３７】
ＤＣＩフォーマット２＿３は、１または複数の端末装置１によるサウンディング参照信号（ＳＲＳ）送信のためのＴＰＣコマンドのグループを送信するために用いられる。また、ＴＰＣコマンドとともに、ＳＲＳ要求が送信されてもよい。また、ＤＣＩフォーマット２＿３に、ＰＵＳＣＨおよびＰＵＣＣＨのない上りリンク、またはＳＲＳの送信電力制御がＰＵＳＣＨの送信電力制御と紐付いていない上りリンクのために、ＳＲＳ要求とＴＰＣコマンドが定義されてよい。
【００３８】
下りリンクに対するＤＣＩを、下りリンクグラント（downlink grant）、または、下りリンクアサインメント（downlink assignment）とも称する。ここで、上りリンクに対す
るＤＣＩを、上りリンクグラント（uplink grant）、または、上りリンクアサインメント（Uplink assignment）とも称する。
【００３９】
ＰＵＣＣＨは、上りリンクの無線通信（端末装置１から基地局装置３の無線通信）において、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含ま
れてもよい。ＨＡＲＱ−ＡＣＫは、下りリンクデータ（Transport block, Medium Access
Control Protocol Data Unit: MAC PDU, Downlink-Shared Channel: DL-SCH）に対する
ＨＡＲＱ−ＡＣＫを示してもよい。
【００４０】
ＰＤＳＣＨは、媒介アクセス（MAC: Medium Access Control）層からの下りリンクデータ（DL-SCH: Downlink Shared CHannel）の送信に用いられる。また、下りリンクの場合
にはシステム情報（SI: System Information）やランダムアクセス応答（RAR: Random Ac
cess Response）などの送信にも用いられる。
【００４１】
ＰＵＳＣＨは、ＭＡＣ層からの上りリンクデータ（UL-SCH: Uplink Shared CHannel）
または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４２】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。ここでの上位層は、物理層から見た上位層を意味するため、ＭＡＣ層、ＲＲＣ層、ＲＬＣ層、ＰＤＣＰ層、ＮＡＳ（Non Access Stratum）層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００４３】
ＰＤＳＣＨまたはＰＵＳＣＨは、ＲＲＣシグナリング、および、ＭＡＣコントロールエレメントを送信するために用いられてもよい。ここで、ＰＤＳＣＨにおいて、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）で
あってもよい。すなわち、端末装置固有（ＵＥスペシフィック）の情報は、ある端末装置１に対して専用のシグナリングを用いて送信されてもよい。また、ＰＵＳＣＨは、上りリンクにおいてＵＥの能力（UE Capability）の送信に用いられてもよい。
【００４４】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
【００４５】
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００４６】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い。なお、ビームは、送信または受信フィルタ設定、あるいは空間ドメイン送信フィルタまたは空間ドメイン受信フィルタと呼ばれてもよい。
【００４７】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同期などができる程度の細かい同期（Fine synchronization）に用いられて良い。
【００４８】
本実施形態において、以下の下りリンク参照信号のいずれか１つまたは複数が用いられる。
・ＤＭＲＳ（Demodulation Reference Signal）
・ＣＳＩ−ＲＳ（Channel State Information Reference Signal）
・ＰＴＲＳ（Phase Tracking Reference Signal）
・ＴＲＳ（Tracking Reference Signal）
【００４９】
ＤＭＲＳは、変調信号を復調するために使用される。なお、ＤＭＲＳには、ＰＢＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使用され、周期的ま
たはセミパーシステントまたは非周期のＣＳＩ参照信号の送信方法が適用される。ＰＴＲＳは、位相雑音に起因する周波数オフセットを保証する目的で、時間軸で位相をトラックするために使用される。ＴＲＳは、高速移動時におけるドップラーシフトを保証するために使用される。なお、ＴＲＳはＣＳＩ−ＲＳの１つの設定として用いられてよい。例えば、１ポートのＣＳＩ−ＲＳがＴＲＳとして無線リソースが設定されてもよい。
【００５０】
本実施形態において、以下の上りリンク参照信号のいずれか１つまたは複数が用いられる。
・ＤＭＲＳ（Demodulation Reference Signal）
・ＰＴＲＳ（Phase Tracking Reference Signal）
・ＳＲＳ（Sounding Reference Signal）
【００５１】
ＤＭＲＳは、変調信号を復調するために使用される。なお、ＤＭＲＳには、ＰＵＣＣＨを復調するための参照信号と、ＰＵＳＣＨを復調するための参照信号の２種類が定義されてもよいし、両方をＤＭＲＳと称してもよい。ＳＲＳは、上りリンクチャネル状態情報（ＣＳＩ）の測定、チャネルサウンディング、およびビームマネジメントに使用される。ＰＴＲＳは、位相雑音に起因する周波数オフセットを保証する目的で、時間軸で位相をトラックするために使用される。
【００５２】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００５３】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Data Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロッ
クはコードワードにマップされ、コードワード毎に符号化処理が行われる。
【００５４】
また、参照信号は、無線リソース測定（ＲＲＭ：Radio Resource Measurement）に用いられてよい。また、参照信号は、ビームマネジメントに用いられてよい。
【００５５】
ビームマネジメントは、送信装置（下りリンクの場合は基地局装置３であり、上りリンクの場合は端末装置１である）におけるアナログおよび／またはディジタルビームと、受
信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００５６】
なお、ビームペアリンクを構成、設定または確立する手続きとして、下記の手続きを含んでよい。
・ビーム選択（Beam selection）
・ビーム改善（Beam refinement）
・ビームリカバリ（Beam recovery）
【００５７】
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビームを再選択する手続きであってよい。
【００５８】
ビームマネジメントには、ビーム選択、ビーム改善が含まれてよい。ビームリカバリには、下記の手続きを含んでよい。
・ビーム失敗（beam failure）の検出
・新しいビームの発見
・ビームリカバリリクエストの送信
・ビームリカバリリクエストに対する応答のモニタ
【００５９】
例えば、端末装置１における基地局装置３の送信ビームを選択する際にＣＳＩ−ＲＳまたはＳＳ／ＰＢＣＨブロックに含まれるＳＳＳのＲＳＲＰ（Reference Signal Received Power）を用いてもよいし、ＣＳＩを用いてもよい。また、基地局装置３への報告として
ＣＳＩ−ＲＳリソースインデックス（ＣＲＩ：CSI-RS Resource Index）を用いてもよい
し、ＳＳ／ＰＢＣＨブロックに含まれるＰＢＣＨおよび／またはＰＢＣＨの復調に用いられる復調用参照信号（ＤＭＲＳ）の系列で指示されるインデックスを用いてもよい。
【００６０】
また、基地局装置３は、端末装置１へビームを指示する際にＣＲＩまたはＳＳ／ＰＢＣＨの時間インデックスを指示し、端末装置１は、指示されたＣＲＩまたはＳＳ／ＰＢＣＨの時間インデックスに基づいて受信する。このとき、端末装置１は指示されたＣＲＩまたはＳＳ／ＰＢＣＨの時間インデックスに基づいて空間フィルタを設定し、受信してよい。また、端末装置１は、疑似同位置（ＱＣＬ：Quasi Co-Location）の想定を用いて受信し
てもよい。ある信号（アンテナポート、同期信号、参照信号など）が別の信号（アンテナポート、同期信号、参照信号など）と「ＱＣＬである」または、「ＱＣＬの想定が用いられる」とは、ある信号が別の信号と関連付けられていると解釈できる。
【００６１】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００６２】
このＱＣＬは、ビームマネジメントにも拡張されうる。そのために、空間に拡張したＱＣＬが新たに定義されてもよい。例えば、空間領域のＱＣＬの想定におけるチャネルの長
区間特性（Long term property）として、無線リンクあるいはチャネルにおける到来角（AoA（Angle of Arrival）, ZoA（Zenith angle of Arrival）など）および／または角度
広がり（Angle Spread、例えばASA（Angle Spread of Arrival）やZSA（Zenith angle Spread of Arrival））、送出角（AoD, ZoDなど）やその角度広がり（Angle Spread、例え
ばASD（Angle Spread of Departure）やZSD（Zenith angle Spread of Departure））、
空間相関（Spatial Correlation）、受信空間パラメータであってもよい。
【００６３】
例えば、アンテナポート１とアンテナポート２の間で受信空間パラメータに関してＱＣＬであるとみなせる場合、アンテナポート１からの信号を受信する受信ビーム（受信空間フィルタ）からアンテナポート２からの信号を受信する受信ビームが推論されうることを意味する。
【００６４】
ＱＣＬタイプとして、ＱＣＬであるとみなしてよい長区間特性の組み合わせが定義されてよい。例えば、以下のタイプが定義されてよい。
・タイプＡ：ドップラーシフト、ドップラースプレッド、平均遅延、遅延スプレッド
・タイプＢ：ドップラーシフト、ドップラースプレッド
・タイプＣ：平均遅延、ドップラーシフト
・タイプＤ：受信空間パラメータ
【００６５】
上述のＱＣＬタイプは、ＲＲＣおよび／またはＭＡＣ層および／またはＤＣＩで１つまたは２つの参照信号とＰＤＣＣＨやＰＤＳＣＨ  ＤＭＲＳとのＱＣＬの想定を送信設定指示（ＴＣＩ：Transmission Configuration Indication）として設定および／または指示
してもよい。例えば、端末装置１がＰＤＣＣＨを受信する際のＴＣＩの１つの状態として、ＰＢＣＨ／ＳＳブロックのインデックス＃２とＱＣＬタイプＡ＋ＱＣＬタイプDが設定
および／または指示された場合、端末装置１は、ＰＤＣＣＨ  ＤＭＲＳを受信する際、ＰＢＣＨ／ＳＳブロックインデックス＃２の受信におけるドップラーシフト、ドップラースプレッド、平均遅延、遅延スプレッド、受信空間パラメータとチャネルの長区間特性とみなしてＰＤＣＣＨのＤＭＲＳを受信して同期や伝搬路推定をしてもよい。このとき、ＴＣＩにより指示される参照信号（上述の例ではＰＢＣＨ／ＳＳブロック）をソース参照信号、ソース参照信号を受信する際のチャネルの長区間特性から推論される長区間特性の影響を受ける参照信号（上述の例ではＰＤＣＣＨ  ＤＭＲＳ）をターゲット参照信号と称してよい。また、ＴＣＩは、ＲＲＣで複数のＴＣＩ状態と各状態に対してソース参照信号とＱＣＬタイプの組み合わせが設定され、ＭＡＣ層またはＤＣＩにより端末装置１に指示されてよい。
【００６６】
図６に、ＴＣＩ設定の一例としてＲＲＣにて４つのＴＣＩを設定する例を示す。ここでは、TCI-State#0にNZP-CSI-RS-Resource#1とＱＣＬタイプＡ＋ＱＣＬタイプＤが設定され、TCI-State#1にNZP-CSI-RS-Resource#1とＱＣＬタイプＢ＋ＱＣＬタイプＤが設定され、TCI-State#2にSSB#1とＱＣＬタイプＡが設定され、TCI-State#3にSSB#2とＱＣＬタイプＡ＋ＱＣＬタイプＤが設定される例を示している。端末装置１がRSの設定としてNZP-CSI-RS-Resource#3にTCI-State#0を設定および／または指示された場合、NZP-CSI-RS-Resource#3はNZP-CSI-RS-Resource#1とＱＣＬタイプＡ＋ＱＣＬタイプＤが設定および／または指示されたこととなる。また端末装置１がＰＤＣＣＨ  ＤＭＲＳにTCI-State#2を設定された
場合、ＰＤＣＣＨ  ＤＭＲＳはSSB#1とＱＣＬタイプＡが設定されたこととなる。また端
末装置１がＰＤＳＣＨ  ＤＭＲＳにTCI-State#2を設定および／または指示された場合、
ＰＤＳＣＨ  ＤＭＲＳはSSB#2とＱＣＬタイプＡ＋ＱＣＬタイプＤが設定および／または
指示されたこととなる。
【００６７】
同様に、端末装置１がＣＳＩを算出する際のＴＣＩの１つの状態として、ＰＢＣＨ／ＳＳブロックのインデックス＃２とＱＣＬタイプＡ＋ＱＣＬタイプDが設定および／または
指示された場合、端末装置１は、ＮＺＰ−ＣＳＩ−ＲＳリソースを受信する際、ＰＢＣＨ／ＳＳブロックインデックス＃２の受信におけるドップラーシフト、ドップラースプレッド、平均遅延、遅延スプレッド、受信空間パラメータとチャネルの長区間特性とみなしてＮＺＰ−ＣＳＩ−ＲＳリソースを受信して同期や伝搬路推定をしてもよい。また、端末装置１がＰＤＳＣＨを受信する際のＴＣＩの１つの状態として、ＮＺＰ−ＣＳＩ−ＲＳリソースのインデックス＃２とＱＣＬタイプＡ＋ＱＣＬタイプDが設定および／または指示さ
れた場合、端末装置１は、ＰＤＳＣＨ  ＤＭＲＳを受信する際、ＮＺＰ−ＣＳＩ−ＲＳリソースインデックス＃２の受信におけるドップラーシフト、ドップラースプレッド、平均遅延、遅延スプレッド、受信空間パラメータとチャネルの長区間特性とみなしてＰＤＳＣＨのＤＭＲＳを受信して同期や伝搬路推定をしてもよく、前述の例と組み合わせるとＰＢＣＨ／ＳＳブロックインデックス＃２に対応したＴＣＩのＰＤＣＣＨ  ＤＭＲＳを受信してＰＤＣＣＨを検出し、割り当てられたＰＤＳＣＨを、ＤＣＩにて指示されたＮＺＰ  ＣＳＩ−ＲＳリソースインデックス＃２に対応したＴＣＩのＰＤＳＣＨ  ＤＭＲＳを受信して同期や伝搬路推定を行ってもよい。このとき、ＰＢＣＨ／ＳＳブロックインデックス＃２とＱＣＬタイプDが設定されたＰＤＣＣＨ  ＤＭＲＳの受信と、ＮＺＰ  ＣＳＩ−ＲＳ
リソースインデックス＃２とＱＣＬタイプＤが設定されたＰＤＳＣＨ  ＤＭＲＳの受信とで、端末装置１にて受信空間パラメータを切り替えても良い。受信空間パラメータの切り替えにはアナログ回路のスイッチング動作などを含み切り替え時間を確保する必要のあることなどから、例えば下り割当を指示するＰＤＣＣＨの受信完了から、指示されたＰＤＳＣＨの受信開始時間に間に合わない事態を想定し、ＰＤＣＣＨの末尾シンボルから数えて予め設定したしきい値よりも短い時間間隔でのＰＤＳＣＨ割り当てが通知された場合には、空間パラメータの切り替えを実施せずＰＤＣＣＨ  ＤＭＲＳ受信と同じ空間パラメータを用いてＰＤＳＣＨの受信を行っても良い。
【００６８】
この方法により、ビームマネジメントおよびビーム指示／報告として、空間領域のＱＣＬの想定と無線リソース（時間および／または周波数）によりビームマネジメントと等価な基地局装置３、端末装置１の動作が定義されてもよい。
【００６９】
以下、サブフレームについて説明する。本実施形態ではサブフレームと称するが、リソースユニット、無線フレーム、時間区間、時間間隔などと称されてもよい。
【００７０】
図２は、本発明の第１の実施形態に係る上りリンクおよび下りリンクスロットの概略構成の一例を示す図である。無線フレームのそれぞれは、１０ｍｓ長である。また、無線フレームのそれぞれは１０個のサブフレームおよびＷ個のスロットから構成される。また、１スロットは、Ｘ個のＯＦＤＭシンボルで構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。また、例えば、Ｘ＝１４の場合、サブキャリア間隔が１５ｋＨｚの場合はＷ＝１０であり、サブキャリア間隔が６０ｋＨｚの場合はＷ＝４０である。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図２のセルの帯域幅は帯域の一部（ＢＷＰ：BandWidth Part）として定義されてもよい。また、スロットは、送信時間間隔（ＴＴＩ：Transmission Time Interval）と定義されてもよい。スロットは、ＴＴＩとして定義されなくてもよい。ＴＴＩは、トランスポートブロックの送信期間であってもよい。
【００７１】
スロットのそれぞれにおいて送信される信号または物理チャネルは、リソースグリッド
によって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００７２】
リソースグリッドは、ある物理下りリンクチャネル（ＰＤＳＣＨなど）あるいは上りリンクチャネル（ＰＵＳＣＨなど）のリソースエレメントのマッピングを表現するために用いられる。例えば、サブキャリア間隔が１５ｋＨｚの場合、サブフレームに含まれるＯＦＤＭシンボル数Ｘ＝１４で、ＮＣＰの場合には、１つの物理リソースブロックは、時間領域において１４個の連続するＯＦＤＭシンボルと周波数領域において１２＊Ｎｍａｘ個の連続するサブキャリアとから定義される。Ｎｍａｘは、後述するサブキャリア間隔設定μにより決定されるリソースブロックの最大数である。つまり、リソースグリッドは、（１４＊１２＊Ｎｍａｘ，μ）個のリソースエレメントから構成される。ＥＣＰ（Extended CP）の場合、サブキャリア間隔６０ｋＨｚにおいてのみサポートされるので、１つの物理
リソースブロックは、例えば、時間領域において１２（１スロットに含まれるＯＦＤＭシンボル数）＊４（１サブフレームに含まれるスロット数）＝４８個の連続するＯＦＤＭシンボルと、周波数領域において１２＊Ｎｍａｘ，μ個の連続するサブキャリアとにより定義される。つまり、リソースグリッドは、（４８＊１２＊Ｎｍａｘ，μ）個のリソースエレメントから構成される。
【００７３】
リソースブロックとして、参照リソースブロック、共通リソースブロック、物理リソースブロック、仮想リソースブロックが定義される。１リソースブロックは、周波数領域で連続する１２サブキャリアとして定義される。参照リソースブロックは、全てのサブキャリアにおいて共通であり、例えば１５ｋＨｚのサブキャリア間隔でリソースブロックを構成し、昇順に番号が付されてよい。参照リソースブロックインデックス０におけるサブキャリアインデックス０は、参照ポイントＡと称されてよい（単に“参照ポイント”と称されてもよい）。共通リソースブロックは、参照ポイントＡから各サブキャリア間隔設定μにおいて０から昇順で番号が付されるリソースブロックである。上述のリソースグリッドはこの共通リソースブロックにより定義される。物理リソースブロックは、後述する帯域部分（ＢＷＰ）の中に含まれる０から昇順で番号が付されたリソースブロックであり、物理リソースブロックは、帯域部分（ＢＷＰ）の中に含まれる０から昇順で番号が付されたリソースブロックである。ある物理上りリンクチャネルは、まず仮想リソースブロックにマップされる。その後、仮想リソースブロックは、物理リソースブロックにマップされる。（TS38.211より）
【００７４】
次に、サブキャリア間隔設定μについて説明する。上述のようにＮＲでは、複数のＯＦＤＭヌメロロジーがサポートされる。あるＢＷＰにおいて、サブキャリア間隔設定μ（μ＝０，１，．．．，５）と、サイクリックプレフィックス長は、下りリンクのＢＷＰに対して上位レイヤ（上位層）で与えられ、上りリンクのＢＷＰにおいて上位レイヤで与えられる。ここで、μが与えられると、サブキャリア間隔Δｆは、Δｆ＝２＾μ・１５（ｋＨｚ）で与えられる。
【００７５】
サブキャリア間隔設定μにおいて、スロットは、サブフレーム内で０からＮ^{subframe,μ}_{slot}-1に昇順に数えられ、フレーム内で０からＮ^{frame,μ}_{slot}-1に昇順に
数えられる。スロット設定およびサイクリックプレフィックスに基づいてN^{slot}_{symb}の連続するＯＦＤＭシンボルがスロット内にある。N^{slot}_{symb}は１４である。サブフレーム内のスロットｎ^{μ}_{s}のスタートは、同じサブフレーム内のｎ^{μ}_{s} N^{slot}_{symb}番目のＯＦＤＭシンボルのスタートと時間でアラインされている。
【００７６】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。下りリンクスロットはＰＤＳＣＨマッピングタイプＡと称されてよい。上りリンクスロットはＰＵＳＣＨマッピングタイプＡと称されてよい。
【００７７】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。下りリンクミニスロットはＰＤＳＣＨマッピングタイプＢと称されてよい。上りリンクミニスロットはＰＵＳＣＨマッピングタイプＢと称されてよい。
【００７８】
図４は、スロットフォーマットの一例を示す図である。ここでは、サブキャリア間隔１５ｋＨｚにおいてスロット長が１ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクシンボル
・フレキシブルシンボル
・上りリンクシンボル
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００７９】
端末装置１は、下りリンクシンボルまたはフレキシブルシンボルで下りリンク信号または下りリンクチャネルを受信してよい。端末装置１は、上りリンクシンボルまたはフレキシブルシンボルで上りリンク信号または下りリンクチャネルを送信してよい。
【００８０】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＰＤＣＣＨを介して上りリンクのスケジューリングを行い、ＰＤＣＣＨの処理遅延及び下りから上りの切り替え時間、送信信号の生成を含むフレキシブルシンボルを介して上りリンク信号を送信する。図４（ｃ）は、最初の時間リソースでＰＤＣＣＨおよび／または下りリンクのＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。
図４（ｄ）は、最初の時間リソースでＰＤＣＣＨおよび／またはＰＤＳＣＨの送信に用いられ、処理遅延及び下りから上りの切り替え時間、送信信号の生成のためのギャップを介して上りリンクのＰＵＳＣＨおよび／またはＰＵＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（ＰＵＳＣＨまたはＰＵＣＣＨ）に用いられている例である。
【００８１】
上述の下りリンクパート、上りリンクパートは、ＬＴＥと同様複数のＯＦＤＭシンボルで構成されてよい。
【００８２】
図５は、ビームフォーミングの一例を示した図である。複数のアンテナエレメントは１つの送信ユニット（TXRU: Transceiver unit）１０に接続され、アンテナエレメント毎の位相シフタ１１によって位相を制御し、アンテナエレメント１２から送信することで送信信号に対して任意の方向にビームを向けることができる。典型的には、ＴＸＲＵがアンテナポートとして定義されてよく、端末装置１においてはアンテナポートのみが定義されてよい。位相シフタ１１を制御することで任意の方向に指向性を向けることができるため、基地局装置３は端末装置１に対して利得の高いビームを用いて通信することができる。
【００８３】
以下、帯域部分（ＢＷＰ）について説明する。ＢＷＰは、キャリアＢＷＰとも称される。ＢＷＰは、下りリンクと上りリンクのそれぞれに設定されてよい。ＢＷＰは、共通リソースブロックの連続するサブセットから選択された連続する物理リソースの集合として定義される。端末装置１は、ある時間に１つの下りリンクキャリアＢＷＰが活性化される４つまでのＢＷＰを設定されうる。端末装置１は、ある時間に１つの上りリンクキャリアＢＷＰが活性化される４つまでのＢＷＰを設定されうる。キャリアアグリゲーションの場合には、ＢＷＰは各サービングセルで設定されてもよい。このとき、あるサービングセルにおいてＢＷＰが１つ設定されていることを、ＢＷＰが設定されていないと表現されてもよい。また、ＢＷＰが２つ以上設定されていることをＢＷＰが設定されていると表現されてもよい。
【００８４】
<MAC entity 動作>   
活性化されたサービングセルにおいて、常に一つのアクティブな（活性化された）ＢＷＰがある。あるサービングセルに対するＢＷＰ切り替え（BWP switching）は、インアクテ
ィブな（非活性化された）ＢＷＰを活性化(activate)し、アクティブな（活性化された）ＢＷＰを非活性化(deactivate)するために使用される。あるサービングセルに対するＢＷＰ切り替え（BWP switching）は、下りリンク割り当てまたは上りリンクグラントを示す
ＰＤＣＣＨによって制御される。あるサービングセルに対するＢＷＰ切り替え（BWP switching）は、さらに、ＢＷＰインアクティブタイマー（BWP inactivity timer）や、ラン
ダムアクセスプロシージャの開始時にMACエンティティ自身によって制御されてもよい。
ＳｐＣｅｌｌ（PCellまたはPSCell）の追加または、SCellの活性化において、一つのＢＷＰが、下りリンク割り当てまたは上りリンクグラントを示すＰＤＣＣＨを受信することなしに初期的にアクティブである。初期的にアクティブなＢＷＰは、基地局装置３から端末装置１に送られるＲＲＣメッセージで指定されるかもしれない。あるサービングセルに対するアクティブなＢＷＰは、基地局装置３から端末装置１に送られるＲＲＣまたはＰＤＣＣＨで指定される。アンペアードスペクトラム（Unpaired spectrum）（ＴＤＤバンドな
ど）では、ＤＬ  ＢＷＰとＵＬ  ＢＷＰはペアされていて、ＢＷＰ切り替えは、ＵＬとＤＬに対して共通である。ＢＷＰが設定されているアクティベートされたサービングセルのそれぞれに対する、アクティブなＢＷＰにおいて、端末装置１のＭＡＣエンティティは、ノーマル処理を適用する。ノーマル処理には、UL-SCHを送信する、ＲＡＣＨを送信する、ＰＤＣＣＨをモニタする、ＰＵＣＣＨを送信する、ＳＲＳを送信する、およびＤＬ−SCH
を受信することを含む。ＢＷＰが設定されているアクティベートされたサービングセルの
それぞれに対する、インアクティブなＢＷＰにおいて、端末装置１のＭＡＣエンティティは、UL-SCHを送信しない、ＲＡＣＨを送信しない、ＰＤＣＣＨをモニタしない、ＰＵＣＣＨを送信しない、ＳＲＳを送信しない、およびＤＬ−SCHを受信しない。あるサービング
セルが非活性化された場合、アクティブなＢＷＰは、存在しないようにしてもよい（例えば、アクティブなＢＷＰは非活性化される）。
【００８５】
<RRC 動作>
ＲＲＣメッセージ（報知されるシステム情報や、専用ＲＲＣメッセージで送られる情報）に含まれるＢＷＰインフォメーションエレメント(IE)は、ＢＷＰを設定するの使われる。基地局装置３から送信されたＲＲＣメッセージは、端末装置１によって受信される。それぞれのサービングセルに対して、ネットワーク（基地局装置３など）は、少なくとも下りリンクのＢＷＰと１つ（もしサービングセルが上りリンクの設定された場合など）または２つ（付録のアップリンク（supplementary uplink）が使われる場合など）の上りリンクＢＷＰを含む少なくとも初期ＢＷＰ(initial BWP)を、端末装置１に対して、設定する
。さらに、ネットワークは、追加の上りリンクＢＷＰや下りリンクＢＷＰをあるサービングセルに対して設定するかもしれない。ＢＷＰ設定は、上りリンクパラメータと下りリンクパラメータに分けられる。また、ＢＷＰ設定は、共通(common)パラメータと専用(dedicated)パラメータに分けられる。共通パラメータ（ＢＷＰ上りリンク共通IEやBWP下りリンク共通IEなど）は、セル特有である。プライマリセルの初期BWPの共通パラメータは、シ
ステム情報でも提供される。他のすべてのサービングセルに対しては、ネットワークは専用信号で共通パラメータを提供する。ＢＷＰは、ＢＷＰ  ＩＤで識別される。初期ＢＷＰは、ＢＷＰ  ＩＤが０である。他のＢＷＰのＢＷＰ  ＩＤは、１から４までの値を取る。
【００８６】
上りリンクＢＷＰの専用パラメータは、ＳＲＳ設定を含む。上りリンクＢＷＰの専用パラメータに対応する上りリンクＢＷＰが、その上りリンクＢＷＰの専用パラメータに含まれるＳＲＳ設定に対応する一つまたは複数のＳＲＳに関連付けられる。
【００８７】
端末装置１は、１つのプライマリセルと１５までのセカンダリセルが設定されてよい。
【００８８】
端末装置１により使用されるＣＳＩを報告する時間及び周波数リソースは、基地局装置３により制御される。ＣＳＩは、ＣＱＩ（Channel Quality Indicator）、ＰＭＩ（Precoding Matrix Indicator）、ＣＲＩ（CSI-RS Resource Indicator）、ＬＩ（Layer Indication）、ＲＩ（rank indication）および／またはＬ１−ＲＳＲＰ（Layer-1 Reference Signal Received Power）の各インデックスを含む。ＣＱＩ、ＰＭＩ、ＣＲＩ、ＬＩ、ＲＩ、Ｌ１−ＲＳＲＰのために、端末装置１は、Ｎ（Ｎは１以上）のＣＳＩ報告に関する設定、Ｍ（Ｍは１以上）のＣＳＩ参照信号（ＣＳＩ−ＲＳ）のリソースに関する設定、Ｌ（Ｌは１以上）のリンクを含む１つのＣＳＩ測定に関する設定を上位レイヤにより設定される。ＣＳＩ測定に関する設定は、ＣＳＩ報告に関する設定のリストと、ＣＳＩリソースに関する設定のリストと、リンクの設定のリストと、トリガ状態のリストを含む。以下、それぞれについて説明する。
【００８９】
ＣＳＩ報告に関する設定の各々は、１つの下りリンクのＢＷＰ（上位レイヤのＢＷＰアイデンティティ）に関連付けられ、ＣＳＩ報告に関する設定の各々は、報告されるパラメータは以下のものを含む。
・ＣＳＩ報告に関する設定を識別するための１つのアイデンティティ
・時間領域の動作（例えば、周期的（periodic）、セミパーシステント、または非周期（Aperiodic））
・報告されるＣＳＩパラメータ（例えば、ＣＲＩ、ＲＩ、ＰＭＩ、ＣＱＩなど）
・周波数領域の設定（広帯域ＣＱＩまたはサブバンドＣＱＩを設定する情報、広帯域ＰＭＩまたはサブバンドＰＭＩを設定する情報がそれぞれ含まれる）
・ＣＳＩ測定の制限の設定（measurement restriction configuration、チャネル測定と
干渉測定のそれぞれに対して設定されてよい）
・コードブック設定（ＣＳＩのタイプ（タイプ１かタイプ２かを示す情報）とコードブックサブセット制限の設定）
・１報告あたりのＣＱＩの最大数（１コードワードか２コードワードかを示す情報であってよい）
・ＣＱＩテーブルの想定（６４ＱＡＭまでを含むＣＱＩテーブル、２５６ＱＡＭまでを含むＣＱＩテーブル、ＵＲＬＬＣなど）
【００９０】
ＣＳＩリソースに関する設定の各々は、Ｓ（Ｓは１以上）のＣＳＩ−ＲＳリソースセットに関する情報を含み、各ＣＳＩ−ＲＳリソースセットは、複数のＣＳＩ−ＲＳリソース（チャネル測定または干渉測定のためのＮＺＰＣＳＩ−ＲＳと、干渉測定のためのＣＳＩ−ＩＭ（Interference Measurement）リソース）と、Ｌ１−ＲＳＲＰ計算のために使用されるＳＳ／ＰＢＣＨブロックのリソースに関する設定を含む。ここで、ＮＺＰ  ＣＳＩ−ＲＳリソースとは、予め仕様で定義された生成方法に従って系列が生成され、ＣＳＩ−ＲＳがマッピングされるリソースエレメントにマップされるＣＳＩ−ＲＳである。また、ＣＳＩリソースに関する設定の各々は、上位レイヤで識別された（identified）ＢＷＰに置かれ、１つのＣＳＩ報告に関する設定に紐づけられたすべてのＣＳＩリソースに関する設定は、同じＢＷＰである。
【００９１】
次に、上述のチャネル測定と干渉測定について説明する。チャネル測定は、ＣＳＩ測定のために下りリンクの所望信号またはチャネルまたは空間多重を想定した場合の各レイヤまたは各コードワードの品質に関する量を測定することであり、干渉測定は、ＣＳＩ測定のために下りリンクの干渉信号またチャネルまたは空間多重を想定した場合の各レイヤまたはコードワードにおける干渉の量を測定することである。ここでレイヤとは、空間多重されるＰＤＳＣＨの数である。
【００９２】
なお、Ｌ１−ＲＳＲＰ計算のために使用されるＳＳ／ＰＢＣＨブロックのリソースに関する設定（ssb-Resources）は、ＣＳＩリソースに関する設定の各々に含まれてもよい。
【００９３】
また、ＣＳＩリソースに関する設定の各々に、ＣＳＩ―ＲＳリソースの時間領域の動作が含まれてよい。また、各ＣＳＩ−ＲＳリソースセットに関する設定に、ＣＳＩ―ＲＳリソースの時間領域の動作が含まれてもよい。
【００９４】
各リンクの設定は、ＣＳＩ報告に関する設定のインディケーションと、ＣＳＩ設定ののインディケーションと、チャネル測定か干渉測定のどちらを測定するかを示すインディケーションを含む。また、各リンクの設定は、１つまたは複数の非周期なＣＳＩ報告のためのＣＳＩ報告に関する設定を動的に選択するための複数のトリガ状態を含んでよい。
【００９５】
各トリガ状態は、１つまたは複数のＣＳＩ報告に関する設定に関連付けられ、各ＣＳＩ報告に関する設定は、１つまたは複数の周期的またはセミパーシステントまたは非周期のＣＳＩ参照信号に関する設定に紐づけられている。ここで、紐づけられたＣＳＩリソースに関する設定の数により端末装置は下記を想定してよい。
・１つのＣＳＩリソースに関する設定が設定された場合、そのリソース設定はＬ１−ＲＳＲＰ計算のためのチャネル測定のためである
・２つのＣＳＩリソースに関する設定が設定された場合、１つめのＣＳＩリソースに関する設定はチャネル測定のためであり、２つめのＣＳＩリソースに関する設定は、ＣＳＩ−ＩＭまたはＮＺＰ  ＣＳＩ−ＲＳリソース上での干渉測定のためである。
・３つのＣＳＩリソースに関する設定が設定された場合、１つめのＣＳＩリソースに関する設定はチャネル測定のためであり、２つめのＣＳＩリソースに関する設定は、ＣＳＩ−
ＩＭリソース上での干渉測定のためであり、３つめのＣＳＩリソースに関する設定はＮＺＰ  ＣＳＩ−ＲＳリソース上での干渉測定のためである。
【００９６】
ＣＳＩ測定のために、端末装置１は、下記を想定してよい。
・干渉測定のために設定された各ＮＺＰ  ＣＳＩ−ＲＳポートは干渉の送信レイヤに対応すること、
・ＮＺＰ  ＣＳＩ−ＲＳポート上のすべての干渉の送信レイヤが、関連付けられたＥＰＲＥ（Energy per resource element）が考慮されていること、および
・チャネル測定のためのＮＺＰ  ＣＳＩ−ＲＳリソース、または干渉測定のためのＣＳＩ−ＲＳリソース、または干渉測定のためのＣＳＩ−ＩＭリソース上に他の干渉信号があること
【００９７】
ここで、ＥＰＲＥは、リソースエレメントあたりのＮＺＰ  ＣＳＩ−ＲＳのエネルギーを表す。具体的には、基地局装置３は、ＮＺＰ  ＣＳＩ−ＲＳのＥＰＲＥに対するＰＤＳＣＨ  ＥＰＲＥの比（Ｐｃ）、ＮＺＰ  ＣＳＩ−ＲＳのＥＰＲＥに対するＰＤＣＣＨ  ＥＰＲＥの比（Ｐｃ−ＰＤＣＣＨ）、ＮＺＰ  ＣＳＩ−ＲＳのＥＰＲＥに対するＳＳ／ＰＢＣＨブロックのＥＰＲＥの比（Ｐｃ＿ＳＳ）がそれぞれ設定される。これにより、ＣＳＩ−ＲＳ  ＥＰＲＥを設定されたエネルギーの比からＣＳＩ測定にＥＰＲＥを考慮することができる。
【００９８】
端末装置１はＣＳＩ報告に際して、あるスロットがＣＳＩの各インデックス算出に有効なダウンリンクスロットかを判定しても良い。より具体的には、あるスロットが以下の条件を満たすときに有効なダウンリンクスロットと判定する。
・上位レイヤ設定により少なくとも１シンボル以上の下りリンクシンボルまたはフレキシブルシンボルを含む、かつ
・端末装置１にとってモビリティ測定用のギャップ区間でない、かつ
・少なくとも一回以上のチャネル測定か干渉測定用のＣＳＩリソースの送信機会がある。
ここで、空間パラメータの切り替えに伴い、当該のスロットに割り当てられたＰＤＳＣＨの受信に用いる空間パラメータが、ＣＳＩ測定のために端末装置１に設定したＮＺＰ  ＣＳＩ−ＲＳの空間パラメータと異なり得る。具体的には、ＣＳＩ測定にてＮＺＰ  ＣＳＩ−ＲＳリソースとＱＣＬ想定を設定した参照信号と、ＰＤＳＣＨ  ＤＭＲＳにＱＣＬ想定を設定または指示された参照信号とが異なってもよい。このとき端末装置１はＰＤＳＣＨを受信するための空間パラメータへの切り替えを行い、当該スロットでのＮＺＰ  ＣＳＩ−ＲＳリソースの受信にも同一の空間パラメータを適用する動作となる。このため、予め設定されたＮＺＰ  ＣＳＩ−ＲＳリソースの受信に用いる空間パラメータとは異なる空間パラメータを適用する動作となるため、事前に期待されたＣＳＩの各インデックスの算出は行えない事となる。このため、端末装置１は、空間パラメータの切り替えに伴い、当該のスロットに割り当てられたＰＤＳＣＨの受信に用いる空間パラメータが、有効なスロットか判定するスロットにおけるＣＳＩ参照信号の空間パラメータと異なる場合には、当該スロットは有効なスロットでないものと判定する。
【００９９】
端末装置１は、ＮＺＰ  ＣＳＩ−ＲＳリソースの時間領域の動作が周期的またはセミパーシステントである場合、前述の有効でないスロットを含めず、過去に観測した有効なスロットにおけるＮＺＰ  ＣＳＩ−ＲＳリソースを用いて、ＣＳＩの各インデックスであるＣＱＩ、ＰＭＩ、ＣＲＩ、ＬＩ、ＲＩ、Ｌ１−ＲＳＲＰの少なくとも一つを算出し、報告する。
【０１００】
ＣＳＩ−ＲＳリソースセットの時間領域の動作が非周期であるＣＳＩ−ＲＳリソースセットのために、１つまたは複数のコンポーネントキャリアでのチャネル測定および／または干渉測定のための１つまたは複数のＣＳＩ報告に関する設定および／または１つまたは
複数のＣＳＩ−ＲＳリソースセットのためのトリガ状態が上位レイヤで設定される。非周期のＣＳＩ報告のトリガのために、１つのＣＳＩトリガ状態のセットが上位レイヤのパラメータで設定され、ＣＳＩトリガ状態は、ＤＬ  ＢＷＰのいずれか１つの候補に関連付けられる。端末装置１は、活性化されていない下りリンクＢＷＰのためのＣＳＩ報告をトリガされることを期待しない。各トリガ状態は、ＤＣＩ（例えば、ＤＣＩフォーマット０＿１）に含まれるＣＳＩリクエストフィールドを用いて開始される。
【０１０１】
端末装置１は、ＮＺＰ  ＣＳＩ−ＲＳリソースの時間領域の動作が非周期的である場合、前述の有効でないスロットでのＣＳＩ算出を指示された場合には、ＣＳＩ算出および報告を実施しない一方、チャネル状態情報要求を含んだＤＣＩフォーマット０＿１の指示に沿って上りデータ信号を生成し送信する。このときの上りデータ信号は、下りリンクデータへのＨＡＲＱ応答信号または上りリンクデータとしてよい。また端末装置１は、前述の有効でないスロットでのＣＳＩ算出を指示された場合には、当該のＤＣＩが有効でないと判断し、上りグラントを無視して、上りリンク信号を送信しないこととしてもよい。
【０１０２】
端末装置１により使用されるＳＲＳを送信する時間及び周波数リソースは、基地局装置３により制御される。より具体的には、前述のＢＷＰに関し上位レイヤにより付与される設定は、ＳＲＳに関する設定をを含む。ＳＲＳに関する設定は、ＳＲＳリソースの設定と、ＳＲＳリソースセットに関する設定と、トリガ状態の設定を含む。以下、それぞれについて説明する。
【０１０３】
一つまたは複数のＳＲＳリソースが設定された場合について説明する。基地局装置３は、端末装置１に対して複数のＳＲＳリソースを設定する。複数のＳＲＳリソースは、上りリンクスロットの後方の複数シンボルに関連付けられる。例えば、４つＳＲＳリソースが設定され、スロットの後方の４シンボルのうち、それぞれのシンボルに各ＳＲＳリソースが関連付けられているとする。端末装置１は、ＳＲＳシンボルに送信ビーム（送信フィルタ）を用いて送信する。
【０１０４】
一例として、４つのＳＲＳシンボル（それぞれＳ１、Ｓ２、Ｓ３、Ｓ４と表記する）を用いてＳＲＳリソース（それぞれＳＲＳリソース＃１，＃２，＃３，＃４と表記する）が設定された場合を説明する。Ｓ１がＳＲＳリソース＃１に関連付けられたＳＲＳリソース、Ｓ２がＳＲＳリソース＃２に関連付けられたＳＲＳリソース、Ｓ３がＳＲＳリソース＃３に関連付けられたＳＲＳリソース、Ｓ４がＳＲＳリソース＃４に関連付けられたＳＲＳリソースとし、端末装置１は、この設定に基づいてそれぞれのリソースでそれぞれ送信ビームを適用してＳＲＳを送信する。
【０１０５】
端末装置１は、ＳＲＳリソース毎に異なる送信アンテナポートを用いて送信してよい。例えば、Ｓ１ではアンテナポート１０、Ｓ２ではアンテナポート１１、Ｓ３ではアンテナポート１２、Ｓ４ではアンテナポート１３を用いてＳＲＳを送信してよい。
【０１０６】
端末装置１は、ＳＲＳリソース毎に複数の送信アンテナポートまたは送信アンテナポートグループを用いて送信してよい。例えば、Ｓ１ではアンテナポート１０および１１、Ｓ２ではアンテナポート１２および１３を用いて送信してよい。
【０１０７】
ＳＲＳリソースの設定には、空間関係情報（Spatial Relation Info）を含む。空間関
係情報は、別途適用した受信または送信フィルタ設定を、サウンディング参照信号の送信フィルタに適用し、ビーム利得を獲得するための情報である。別途適用した受信または送信フィルタ設定の特定のため、受信または送信する信号として同期信号のブロック、ＣＳＩ参照信号、サウンディング参照信号、のいずれかを設定する。
【０１０８】
またＳＲＳリソースの設定には、空間関係情報に加え、下記の情報エレメントの少なくとも１つまたは複数を含んでよい。
（１）サウンディング参照信号を送信するシンボルに関する情報またはインデックス
（２）サウンディング参照信号を送信するアンテナポートに関する情報
（３）サウンディング参照信号の周波数ホッピングパターン
【０１０９】
端末装置１は、１つまたは複数のＳＲＳリソース設定を含むＳＲＳリソースセットが設定されても良い。
【０１１０】
ＳＲＳリソースセット設定は、セットに含まれるＳＲＳリソースに適用する送信電力制御に関する情報に加え、対応ＣＳＩ参照信号（associatedCSI-RS）の情報を含んでも良い。
【０１１１】
ＳＲＳリソース設定および／またはＳＲＳリソースセット設定には、時間領域の動作を設定する情報を含んでも良い。時間領域の動作を設定する情報は、周期的（periodic）、セミパーシステント（semi-persistent）、非周期（aperiodic）のいずれかを設定する。
【０１１２】
基地局装置３は、設定した各ＳＲＳリソースのうち、１つまたは複数を選択してＰＵＳＣＨの送信のためにＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより端末装置１に指示してよい。端末装置１は、設定された各ＳＲＳリソースのうち、ＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより基地局装置３から受信してもよい。端末装置１は、指定されたＳＲＳリソースに関連付けられたＤＭＲＳ（demodulation reference signal）の一つま
たは複数のアンテナポート、および／またはＰＵＳＣＨの一つまたは複数のアンテナポートを用いて、ＰＵＳＣＨ送信を行う。例えば、端末装置１は４つのＳＲＳリソースで送信ビーム＃１〜＃４を用いてＳＲＳを送信し、基地局装置３からＳＲＩとしてＳＲＳリソース＃２が指示された場合、端末装置１は、送信ビーム＃２を用いてＰＵＳＣＨを送信してもよい。また、複数のＳＲＳリソースが指示された場合には、指示されたＳＲＩに関連付けられたＳＲＳリソースで用いた複数の送信ビームを用いてＭＩＭＯ空間多重（MIMO SM:Multiple Input Multiple Output Spatial Multiplexing）によりＰＵＳＣＨを送信して
もよい。
【０１１３】
基地局装置３は、設定した各ＳＲＳリソースのうち、１つまたは複数を選択してＰＵＣＣＨの送信のためにＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより端末装置１に指示してよい。ＰＵＣＣＨに関連付けられたＳＲＳリソースを特定するための情報が、下りリンクリソース割り当てを行うＤＣＩに含められる。端末装置１は、下りリンクリソース割り当てを行うＤＣＩに基づいて、ＰＤＳＣＨをデコードし、下りリンクリソース割り当てを行うＤＣＩで示されたＰＵＣＣＨリソースで、ＨＡＲＱ−ＡＣＫを送信する。端末装置１は、設定された各ＳＲＳリソースのうち、ＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより基地局装置３から受信してもよい。端末装置１は、指定されたＳＲＳリソースに関連付けられたＤＭＲＳ（demodulation reference signal）の一つまたは複数のアンテナ
ポート、および／またはＰＵＣＣＨの一つまたは複数のアンテナポートを用いて、ＰＵＣＣＨ送信を行う。
【０１１４】
基地局装置３は、各ＳＲＳリソースのうち時間領域の動作を周期的と設定したＳＲＳリ
ソースにつき、周期およびオフセットの情報を関連付け、ＤＣＩまたはＭＡＣ  ＣＥ、ＲＲＣシグナリングにより端末装置１に指示してよい。端末装置１は、各ＳＲＳリソースのうち時間領域の動作を周期的と設定したＳＲＳリソースにつき、ＳＲＳリソースに関連付けられた、送信周期およびオフセットの情報を用いて、周期的にＳＲＳ送信を行う。
【０１１５】
基地局装置３は、各ＳＲＳリソースのうち時間領域の動作をセミパーシステントと設定したＳＲＳリソースにつき、周期およびオフセットの情報を関連付け、ＤＣＩまたはＭＡＣ  ＣＥ、ＲＲＣシグナリングにより端末装置１に指示してよい。  基地局装置３は、各ＳＲＳリソースのうち時間領域の動作をセミパーシステントと設定したＳＲＳリソースにつき、ＳＲＳリソースの活性化／非活性化をＤＣＩまたはＭＡＣ  ＣＥ、ＲＲＣシグナリングにより端末装置１に指示してよい。端末装置１は、設定された各ＳＲＳリソースのうち時間領域の動作をセミパーシステントと設定したＳＲＳリソースにつき、ＳＲＳリソースの活性化／非活性化をＤＣＩまたはＭＡＣ  ＣＥ、ＲＲＣシグナリングにより基地局装置３から受信してもよい。端末装置１は活性化の指示を受信した際、指定されたＳＲＳリソースに関連づけられた、ＳＲＳを送信するシンボルに関する情報またはインデックス、および／またはＳＲＳを送信するアンテナポートに関する情報、および／またはＳＲＳの周波数ホッピングパターンの情報を用いて、指定されたＳＲＳリソースに関連付けられた、周期およびオフセットの情報を用いて、周期的にＳＲＳ送信を行う。端末装置１は非活性化の指示を受信した際、指定されたＳＲＳリソースのＳＲＳ送信を停止する。
【０１１６】
基地局装置３は、各ＳＲＳリソースのうち時間領域の動作を非周期的と設定したＳＲＳリソースにつき、ＳＲＳ送信要求をＤＣＩまたはＭＡＣ  ＣＥ、ＲＲＣシグナリングにより端末装置１に指示してよい。端末装置１は、設定された各ＳＲＳリソースのうち時間領域の動作を非周期的と設定したＳＲＳリソースにつき、ＳＲＳ送信要求をＤＣＩまたはＭＡＣ  ＣＥ、ＲＲＣシグナリングにより基地局装置３から受信してもよい。端末装置１はＳＲＳ送信要求を受信した際、指定されたＳＲＳリソースに関連づけられた、ＳＲＳを送信するシンボルに関する情報またはインデックス、および／またはＳＲＳを送信するアンテナポートに関する情報、および／またはＳＲＳの周波数ホッピングパターンの情報を用いて、指定されたＳＲＳリソースに関連付けられた、周期およびオフセットの情報を用い、ＳＲＳ送信を行う。ＳＲＳ送信要求は、１つまたは複数のトリガ状態を含み、各ＳＲＳリソース設定および／または各ＳＲＳリソースセット設定のうち時間領域の動作を非周期的と設定した、各ＳＲＳリソース設定および／または各ＳＲＳリソースセット設定は、１つまたは複数のトリガ状態に関連付けられる。
【０１１７】
次に、トリガ状態の設定を説明する。各トリガ状態は、１つまたは複数のＳＲＳリソースセットに関する設定に関連付けられている。
【０１１８】
時間領域の動作が非周期であるＳＲＳリソースセットのために、１つまたは複数のコンポーネントキャリアでの上りリンクチャネル状態情報（ＣＳＩ）および／またはチャネルサウンディングおよび／またはビームマネジメントのための、１つまたは複数のSＲＳリ
ソースセットにおけるＳＲＳ送信のためのトリガ状態が上位レイヤで設定される。非周期のＳＲＳリソースセットにおけるＳＲＳ送信のトリガのために、１つのＳＲＳトリガ状態のセットが上位レイヤのパラメータで設定される。各トリガ状態は、ＤＣＩ（例えば、ＤＣＩフォーマット０＿１、ＤＣＩフォーマット１＿１、ＤＣＩフォーマット２＿３）に含まれるＳＲＳ要求フィールドを用いて指示される。
【０１１９】
このとき、端末装置は、下記の動作を行う。
・ＳＲＳ要求フィールドの値が０の場合、ＳＲＳ送信は要求されない
・ＳＲＳ要求フィールドの値が１または２または３の場合、対応するトリガ状態に関連付けられたＳＲＳリソースセットに関する設定に基づいて、ＳＲＳ送信を行う。このとき
端末装置は、ＳＲＳリソースセットから、ＳＲＳリソースに関する設定に含まれる設定情報に基づいてＳＲＳを送信する。
【０１２０】
各ＳＲＳリソースセットに関する設定には、時間領域の動作を設定する情報、空間関係情報に関する信号のインデックスまたはアイデンティティを含む。
【０１２１】
つづいて、あるサービングセル＃１におけるＳＲＳに関するＲＲＣの設定およびＳＲＳ要求フィールドの一例を示す。ここではサービングセルに設定されているＢＷＰの数が２であるとする。サービングセル＃１のＳＲＳに関する情報に、サービングセル＃１におけるＢＷＰインデックス＃１に関する設定のリストが設定されており、リスト内に、ＳＲＳリソースセットに関する設定が４つ設定されている。そのうち、非周期なＳＲＳリソースセットの設定は、ＳＲＳリソースセットに関する設定＃１〜＃３とする。
【０１２２】
ＳＲＳリソースセットに関する設定＃１は、トリガ状態＃１に関連付けられ、ＳＲＳリソースセットに関する設定＃２は、トリガ状態＃２に関連付けられ、ＳＲＳリソースセットに関する設定＃３は、トリガ状態＃３に関連付けられている。ＳＲＳ要求フィールドの“００”はＳＲＳを送信しない。“０１”にトリガ状態＃０、“１０”にトリガ状態＃１、“１１”にトリガ状態＃２がそれぞれ関連付けられている。
【０１２３】
端末装置１は、ＲＲＣで設定されたＳＲＳに関する設定と、ＤＣＩに含まれるＳＲＳ要求フィールドの値に基づいて関連付けられたＳＲＳリソースセットに関する設定に基づいて、ＳＲＳを送信する。このとき、端末装置１は、ＳＲＳに関する設定に関連付けられたＳＲＳリソースセットに関する設定から、ＳＲＳに関する設定に含まれる設定情報に基づいてＳＲＳを送信する。
【０１２４】
また、各ＳＲＳに関する設定は、サービングセル内のＢＷＰと関連付けられている。一例として、ＳＲＳ設定＃１は、ＢＷＰインデックス＃１に関連付けられてもよい。
【０１２５】
ここで、上述の例ではＳＲＳ要求フィールドの１つの値に、１つのＳＲＳリソースセットに関する設定が設定されたが、複数のＳＲＳリソースセットが関連付けられるようにしてもよい。
【０１２６】
ある２つのサービングセルにおけるＲＲＣで設定されるＳＲＳの設定およびＳＲＳ要求フィールドの例を示す。ここで、時間動作が非周期であるＳＲＳリソースセットに関する設定の各々は、トリガ状態が関連付けられている。
【０１２７】
端末装置１は、ＳＲＳ要求フィールドの値として１０が指示された場合には、サービングセル＃１におけるＳＲＳリソースセットを送信する。すなわち、ＳＲＳ要求フィールドの値（情報）は複数のトリガ状態のうちの１つを示し、複数のトリガ状態の各々は、サービングセルごとに設定され、1つまたは複数のＳＲＳリソースセットの設定に関連付けら
れる。なお、ＳＲＳ要求フィールドの値はＳＲＳ要求フィールドに含まれる情報と換言されてもよい。
【０１２８】
ここで、ＳＲＳ設定＃２のＢＷＰインデックスとして、設定されたＢＷＰの実際のインデックスではなく“active”が設定されている。これは、活性化されたＢＷＰと関連付けられていることを意味する。例えば、端末装置１に対して、あるスロットにおいてＢＷＰインデックス＃１を示すＢＷＰが活性化されている場合、ＳＲＳ設定＃２は活性化されているＢＷＰインデックス＃１に対応する設定であり、端末装置１は対応するＢＷＰ＃１のＳＲＳリソースセットを送信する。すなわち、ＰＤＣＣＨのＤＣＩに含まれるＳＲＳ要求フィールドは、トリガ状態を含み、各トリガ状態は１つまたは複数のＳＲＳリソースセッ
トに関する設定に関連付けられ、ＳＲＳ設定は、サービングセルｃの活性化されたＢＷＰに関連付けられるように設定されてもよい。
【０１２９】
続いて、２つのサービングセルが設定された場合の例を示す。ここでは、サービングセル数として２つが設定され、各セルで、非周期のＳＲＳリソースセットに関する設定にトリガ状態が割り当てられる例を示す。ＳＲＳ要求フィールドには複数の非周期のＳＲＳリソースセットに関する設定が関連付けられてもよく、サービングセル＃１のトリガ状態＃０と、サービングセル＃２のトリガ状態＃０がコードポイント“０１”に設定されることとする。
【０１３０】
ここで、あるスロットにおいて、端末装置１に対してＳＲＳ要求フィールドの値として“１０”が指示された場合、端末装置１はサービングセル＃１のＢＷＰ＃１のＳＲＳリソースセットと、サービングセル＃２のＢＷＰ＃１のＳＲＳリソースセットを送信する。このとき、サービングセル＃１のＢＷＰ＃１とサービングセル＃２のＢＷＰ＃１がともに活性化されている場合、端末装置１はサービングセル＃１のＢＷＰ＃１とサービングセル＃２のＢＷＰ＃１のＳＲＳリソースセットを送信する。
【０１３１】
また、サービングセル＃１のＢＷＰ＃１が活性化されており、サービングセル＃２のＢＷＰ＃２が活性化されている場合、末装置１はサービングセル＃１のＢＷＰ＃１のＣＳＩを報告する。このように、複数のサービングセルが設定され、ＳＲＳ要求フィールドの値により指示された各サービングセルのＳＲＳリソースセットを送信する。すなわち、端末装置１は、ＳＲＳ要求フィールドを含むＤＣＩを運ぶＰＤＣＣＨを受信し、ＳＲＳ要求フィールドに基づいて複数のサービングセルにおけるＢＷＰのＳＲＳ送信要求がトリガされた場合に、活性化されているＢＷＰインデックスが示すＢＷＰのＣＳＩ報告を送信する。このとき、ＳＲＳ要求フィールドはトリガ状態を示し、トリガ状態は、複数の状態のうち１つを示す。複数の状態の各々の状態は、サービングセル毎に設定され、１つまたは複数のＳＲＳリソースセットに関する設定および１つまたは複数のＳＲＳリソースセットに関する設定および各サービングセルにおけるＢＷＰインデックスに関連付けられる。
【０１３２】
上述の例では、各サービングセルのＳＲＳリソースセットに関する設定がＢＷＰインデックスに関する設定に常に関連付けられている場合を示したが、ＢＷＰが１つの場合には関連付ける情報が設定されなくてよい。この場合、サービングセルの帯域幅に基づいてＳＲＳリソースセットを送信してよい。
【０１３３】
また、上述の例ではＳＲＳリソースセットに関する設定にトリガ状態のインデックスを示す情報を含んだが、ＳＲＳリソースセットに関する設定がトリガ状態のリストを含み、各トリガ状態がどのＳＲＳリソースセットに関する設定を含むかが設定されてもよい。
【０１３４】
以下、サウンディング参照信号送信に適用する空間ドメイン送信フィルタについて説明する。
【０１３５】
前述のように、基地局装置３は端末装置１に対し、あるＳＲＳリソースセットの設定に対応ＣＳＩ参照信号（associatedCSI-RS）を設定することができる。あるＣＳＩ参照信号を対応ＣＳＩ参照信号として設定された端末装置１は、各種下りリンク信号を受信する。端末装置１は、各種下りリンク信号のうち、ＳＲＳの設定によりＳＲＳリソースセットに関連づけられた対応ＣＳＩ参照信号を特定し、対応ＣＳＩ参照信号を受信した際に適用した空間ドメイン受信フィルタを特定する。さらに端末装置１は、当該のＳＲＳリソースセットを送信する際に、前記空間ドメイン受信フィルタを空間ドメイン送信フィルタとして適用し、ＳＲＳリソースセットを送信する。また、時間動作が非周期であるＳＲＳリソースセットに対する空間関係情報の設定として、空間関係情報を設定するＣＳＩ参照信号に
時間領域の動作を非周期的と設定したＮＺＰ  ＣＳＩ−ＲＳリソースを設定してもよく、ＳＲＳ要求のＤＣＩによりＮＺＰ  ＣＳＩ−ＲＳリソースの送信指示としてもよい。
【０１３６】
次に、空間パラメータの切り替えを勘案した空間ドメイン受信フィルタの特定およびＳＲＳリソース送信について説明する。空間パラメータの切り替えに伴い、当該のスロットに割り当てられたＰＤＳＣＨの受信に用いる空間パラメータが、ＳＲＳ設定で端末装置１に設定した対応ＣＳＩ参照信号の空間パラメータと異なり得る。具体的には、ＳＲＳ設定にてＮＺＰ  ＣＳＩ−ＲＳリソースとＱＣＬ想定を設定した参照信号と、ＰＤＳＣＨ  ＤＭＲＳにＱＣＬ想定を設定または指示された参照信号とが異なってもよい。このとき端末装置１はＰＤＳＣＨを受信するための空間パラメータへの切り替えを行い、当該スロットでのＮＺＰ  ＣＳＩ−ＲＳリソースの受信にも同一の空間パラメータを適用する動作となる。このため、予め設定されたＮＺＰ  ＣＳＩ−ＲＳリソースの受信に用いる空間パラメータとは異なる空間パラメータを適用する動作となるため、事前に期待された空間ドメイン送信フィルタの算出は行えない事となる。
【０１３７】
端末装置１は、ＳＲＳ設定にてＮＺＰ  ＣＳＩ−ＲＳリソースとＱＣＬ想定を設定した参照信号と、ＰＤＳＣＨ  ＤＭＲＳにＱＣＬ想定を設定または指示された参照信号とが異なる場合、過去のＳＲＳリソースの送信に適用した空間ドメイン送信フィルタを用いて、ＳＲＳリソースを送信する。
また端末装置１は、ＳＲＳ設定にてＮＺＰ  ＣＳＩ−ＲＳリソースとＱＣＬ想定を設定した参照信号と、ＰＤＳＣＨ  ＤＭＲＳにＱＣＬ想定を設定または指示された参照信号とが異なる場合、ＳＲＳリソースの送信を行わず、次回のＣＳＩ参照信号の受信タイミング以降にＳＲＳリソースを送信することとしてもよい。
【０１３８】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）
など）で用いられてもよい。また、単独でオペレーションするスタンドアローンで用いられてもよい。デュアルコネクティビティオペレーションにおいては、ＳｐＣｅｌｌ（Special Cell）は、ＭＡＣエンティティがＭＣＧに関連付けられているか、ＳＣＧに関連付けられているかに応じて、それぞれ、ＭＣＧのPCellまたは、SCGのPSCellと称する。デュアルコネクティビティオペレーションでなければ、ＳｐＣｅｌｌ（Special Cell）は、PCellと称する。ＳｐＣｅｌｌ（Special Cell）は、ＰＵＣＣＨ送信と、競合ベースランダム
アクセスをサポートする。
【０１３９】
以下、本実施形態における装置の構成について説明する。ここでは、下りリンクの無線伝送方式として、ＣＰ−ＯＦＤＭ、上りリンクの無線伝送方式としてＣＰ−ＯＦＤＭまたはＤＦＴＳ−ＯＦＤＭ（ＳＣ−ＦＤＭ）を適用する場合の例を示している。
【０１４０】
図７は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、チャネル状態情報報告制御部１０１５、および、サウンディング参照信号制御部１０１７を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０
７９を含んで構成される。
【０１４１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行う。
【０１４２】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０１４３】
上位層処理部１０１が備えるスケジューリング情報解釈部１０１３は、受信部１０５を介して受信したＤＣＩ（スケジューリング情報）の解釈をし、前記ＤＣＩを解釈した結果に基づき、受信部１０５、および送信部１０７の制御を行うために制御情報を生成し、制御部１０３に出力する。
【０１４４】
ＣＳＩ報告制御部１０１５は、測定部１０５９に、ＣＳＩ参照リソースに関連するチャネル状態情報（ＲＩ／ＰＭＩ／ＣＱＩ／ＣＲＩ）を導き出すよう指示する。ＣＳＩ報告制御部１０１５は、送信部１０７に、ＲＩ／ＰＭＩ／ＣＱＩ／ＣＲＩを送信するよう指示をする。ＣＳＩ報告制御部１０１５は、測定部１０５９がＣＱＩを算出する際に用いる設定をセットする。
【０１４５】
サウンディング参照信号制御部１０１７は、上りリンク参照信号生成部１０７９に、ＳＲＳリソース設定に関連する情報を導き出すよう指示する。サウンディング参照信号制御部１０１７は、送信部１０７に、ＳＲＳリソースを送信するよう指示をする。サウンディング参照信号制御部１０１７は、上りリンク参照信号生成部１０７９がＳＲＳを生成する際に用いる設定をセットする。またサウンディング参照信号制御部１０１７は、制御部１０３に、空間関係情報および／または対応ＣＳＩ参照信号の情報を出力する。またサウンディング参照信号制御部１０１７は、受信部１０５より入力された空間ドメイン受信フィルタを、送信部１０７に出力する。
【０１４６】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。また制御部１０３は、サウンディング参照信号制御部１０１７から入力された空間関係情報および／または対応ＣＳＩ参照信号の情報を、受信部１０５および／または送信部１０７に出力する。受信部１０５は、制御部１０３から入力された空間関係情報および／または対応ＣＳＩ参照信号の情報に対応する下りリンク信号を受信する際に用いた空間ドメイン受信フィルタを、サウンディング参照信号制御部１０１７に出力する。
【０１４７】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出す
る。
【０１４８】
多重分離部１０５５は、抽出した信号を下りリンクのＰＤＣＣＨ、ＰＤＳＣＨ、および下りリンク参照信号に、それぞれ分離する。また、多重分離部１０５５は、測定部１０５９から入力された伝搬路の推定値から、ＰＤＣＣＨおよびＰＵＳＣＨの伝搬路の補償を行う。また、多重分離部１０５５は、分離した下りリンク参照信号を測定部１０５９に出力する。
【０１４９】
復調部１０５３は、下りリンクのＰＤＣＣＨに対して、復調を行い、復号化部１０５１へ出力する。復号化部１０５１は、ＰＤＣＣＨの復号を試み、復号に成功した場合、復号した下りリンク制御情報と下りリンク制御情報が対応するＲＮＴＩとを上位層処理部１０１に出力する。
【０１５０】
復調部１０５３は、ＰＤＳＣＨに対して、ＱＰＳＫ（Quadrature Phase Shift Keying
）、１６ＱＡＭ（Quadrature Amplitude Modulation）、６４ＱＡＭ、２５６ＱＡＭ等の
下りリンクグラントで通知された変調方式の復調を行い、復号化部１０５１へ出力する。復号化部１０５１は、下りリンク制御情報で通知された伝送または原符号化率に関する情報に基づいて復号を行い、復号した下りリンクデータ（トランスポートブロック）を上位層処理部１０１へ出力する。
【０１５１】
測定部１０５９は、多重分離部１０５５から入力された下りリンク参照信号から、下りリンクのパスロスの測定、チャネル測定、および／または、干渉測定を行う。測定部１０５９は、測定結果に基づいて算出したＣＳＩ、および、測定結果を上位層処理部１０１へ出力する。また、測定部１０５９は、下りリンク参照信号から下りリンクの伝搬路の推定値を算出し、多重分離部１０５５へ出力する。
【０１５２】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。また、送信部１０７は、サウンディング参照信号制御部１０１７から入力された空間ドメイン受信フィルタを、多重部１０７５へ出力する。
【０１５３】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ、２５６ＱＡＭ等の変調方式で変調する。
【０１５４】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。また、上りリンク参照信号生成部は、ＳＲＳリソースの送信に際し適用した空間ドメイン送信フィルタを、多重部１０７５に出力する。
【０１５５】
多重部１０７５は、ＰＵＳＣＨのスケジューリングに用いられる情報に基づき、空間多重されるＰＵＳＣＨのレイヤの数を決定し、ＭＩＭＯ空間多重（MIMO SM: Multiple Input Multiple Output Spatial Multiplexing）を用いることにより同一のＰＵＳＣＨで送信される複数の上りリンクデータを、複数のレイヤにマッピングし、このレイヤに対してプレコーディング（precoding）を行う。
【０１５６】
多重部１０７５は、制御部１０３から入力された制御信号に従って、ＰＵＳＣＨの変調
シンボルを離散フーリエ変換（Discrete Fourier Transform: DFT）する。また、多重部
１０７５は、ＰＵＣＣＨおよび／またはＰＵＳＣＨの信号と生成した上りリンク参照信号を送信アンテナポート毎に多重する。つまり、多重部１０７５は、ＰＵＣＣＨおよび／またはＰＵＳＣＨの信号と生成した上りリンク参照信号を送信アンテナポート毎にリソースエレメントに配置する。また、多重部１０７５は、送信部１０７より入力された空間ドメイン受信フィルタまたは上りリンク参照信号生成部１０７９より入力された空間ドメイン送信フィルタを用い、上りリンクデータおよび上りリンク参照信号に対してプレコーディング（precoding）を行う。
【０１５７】
無線送信部１０７７は、多重された信号を逆高速フーリエ変換（Inverse Fast Fourier
Transform: IFFT）して、ＳＣ−ＦＤＭ方式の変調を行い、ＳＣ−ＦＤＭ変調されたＳＣ−ＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１５８】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３、チャネル状態情報報告制御部３０１５、および、サウンディング参照信号制御部３０１７を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【０１５９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部３０１は、受信部３０５、および送信部３０７の制御を行うために制御情報を生成し、制御部３０３に出力する。
【０１６０】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノー
ドから取得し、送信部３０７に出力する。また、無線リソース制御部３０１１は、端末装置１各々の各種設定情報の管理をする。
【０１６１】
上位層処理部３０１が備えるスケジューリング部３０１３は、受信したＣＳＩおよび測定部３０５９から入力された伝搬路の推定値やチャネルの品質などから、物理チャネル（ＰＤＳＣＨまたはＰＵＳＣＨ）を割り当てる周波数およびサブフレーム、物理チャネル（ＰＤＳＣＨまたはＰＵＳＣＨ）の伝送符号化率および変調方式および送信電力などを決定する。スケジューリング部３０１３は、スケジューリング結果に基づき、受信部３０５、および送信部３０７の制御を行うために制御情報を生成し、制御部３０３に出力する。スケジューリング部３０１３は、スケジューリング結果に基づき、物理チャネル（ＰＤＳＣＨまたはＰＵＳＣＨ）のスケジューリングに用いられる情報（例えば、ＤＣＩ（フォーマット））を生成する。
【０１６２】
上位層処理部３０１が備えるチャネル状態情報報告制御部３０１５は、端末装置１のＣ
ＳＩ報告を制御する。サウンディング参照信号制御部３０１７は、端末装置１がＳＲＳを生成する際に用いる設定を、送信部３０７を介して、端末装置１に送信する。また上位層処理部３０１が備えるサウンディング参照信号制御部３０１７は、端末装置１のＳＲＳ送信を制御する。サウンディング参照信号制御部３０１７は、端末装置１がＳＲＳを生成する際に用いる設定を、送信部３０７を介して、端末装置１に送信する。
【０１６３】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【０１６４】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、
不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１６５】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【０１６６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行われる。また、多重分離部３０５５は、測定部３０５９から入力された伝搬路の推定値から、ＰＵＣＣＨとＰＵＳＣＨの伝搬路の補償を行う。また、多重分離部３０５５は、分離した上りリンク参照信号を測定部３０５９に出力する。
【０１６７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４
ＱＡＭ、２５６ＱＡＭ等の予め定められた、または自装置が端末装置１各々に上りリンクグラントで予め通知した変調方式を用いて受信信号の復調を行う。復調部３０５３は、端末装置１各々に上りリンクグラントで予め通知した空間多重される系列の数と、この系列に対して行うプリコーディングを指示する情報に基づいて、ＭＩＭＯ  ＳＭを用いることにより同一のＰＵＳＣＨで送信された複数の上りリンクデータの変調シンボルを分離する。
【０１６８】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した伝送または原符号化率で復号を行い、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行う。測定部３０５９は、多重分離部３０５５から入力された上りリンク参照信号から伝搬路の推定値、チャネルの品質などを測定し、多重分離部３０５５および上位層処理部３０１に出力する。
【０１６９】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重または別々の無線リソースで、送受信アンテナ３０９を介して端末装置１に信号を送信する。
【０１７０】
符号化部３０７１は、上位層処理部３０１から入力された下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ、２５６ＱＡＭ等の変調方式で変調する。
【０１７１】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【０１７２】
多重部３０７５は、空間多重されるＰＤＳＣＨのレイヤの数に応じて、１つのＰＤＳＣＨで送信される１つまたは複数の下りリンクデータを、１つまたは複数のレイヤにマッピングし、該１つまたは複数のレイヤに対してプレコーディング（precoding）を行う。多
重部３０７５は、下りリンク物理チャネルの信号と下りリンク参照信号を送信アンテナポート毎に多重する。多重部３０７５は、送信アンテナポート毎に、下りリンク物理チャネルの信号と下りリンク参照信号をリソースエレメントに配置する。
【０１７３】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１７４】
（１）より具体的には、本発明の第１の態様における端末装置１は、第１のサービングセルの第１のチャネル状態情報算出用参照信号を受信する受信部を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて、ＣＱＩインデックスを算出する。
【０１７５】
（２）本発明の第２の態様における端末装置１において、前記第１のサービングセルの上りリンクグラントを示す第１のＰＤＣＣＨを受信する受信部を備え、前記第１のチャネル状態情報算出用参照信号は、周期的またはセミパーシステントまたは非周期的の送信方法が適用され、前記第１のＰＤＣＣＨにて前記第１のチャネル状態情報算出用参照信号を用いる第1のチャネル状態報告要求を受信し、前記第1のチャネル状態報告要求に対応したスロットが有効なダウンリンクスロットでない場合に、チャネル状態報告を含めず第１の上りリンク信号を送信する。
【０１７６】
（３）本発明の第３の態様における端末装置１において、前記第１のサービングセルの上りリンクグラントを示す第１のＰＤＣＣＨを受信する受信部を備え、前記第１のチャネル状態情報算出用参照信号は、周期的またはセミパーシステントまたは非周期的の送信方法が適用され、前記第１のＰＤＣＣＨにて前記第１のチャネル状態情報算出用参照信号を用いる第1のチャネル状態報告要求を受信し、前記第1のチャネル状態報告要求に対応した
スロットが有効なダウンリンクスロットでない場合に、前記第１のＰＤＣＣＨで指示された上りリンク信号を送信しない。
【０１７７】
（４）本発明の第４の態様における基地局装置３は、第１のサービングセルの第１のチャネル状態情報算出用参照信号を送信する送信部と、ＰＤＳＣＨを送信する送信部と、を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて参照されたＣＱＩインデックスを受信する。
【０１７８】
（５）本発明の第５の態様における通信方法は、第１のサービングセルの第１のチャネル状態情報算出用参照信号を受信しＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて、ＣＱＩインデックスを算出する。
【０１７９】
（６）本発明の第６の態様における通信方法は、基地局装置の通信方法であって、第１のサービングセルの第１のチャネル状態情報算出用参照信号を送信し、ＰＤＳＣＨを送信し、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて算出されるＣＱＩインデックスを受信する。
【０１８０】
（７）本発明の第７の態様における集積回路は、端末装置に実装される集積回路であって、第１のサービングセルの第１のチャネル状態情報算出用参照信号を受信する受信手段と、ＰＤＳＣＨを受信する受信手段と、を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて、ＣＱＩインデックスを算出する。
【０１８１】
（８）本発明の第８の態様における集積回路は、基地局装置に実装される集積回路であって、第１のサービングセルの第１のチャネル状態情報算出用参照信号を送信する送信手段と、ＰＤＳＣＨを送信する送信手段と、を備え、ＰＤＳＣＨ受信に用いる第１のＱＣＬ想定と、前記第１のチャネル状態情報算出用参照信号の受信に用いる第２のＱＣＬ想定とが異なるかどうかに基づいて、あるスロットが有効なダウンリンクスロットかを判定し、前記有効なダウンリンクスロットに基づいて、ＣＳＩ参照リソースを判定し、前記ＣＳＩ参照リソースに基づいて算出されるＣＱＩインデックスを受信する。
【０１８２】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１８３】
尚、本発明に関わる実施形態の機能を実現するためのプログラムをコンピュータが読み
取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１８４】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１８５】
なお、本発明に関わる実施形態では、基地局装置と端末装置で構成される通信システムに適用される例を記載したが、Ｄ２Ｄ（Device to Device）のような、端末同士が通信を行うシステムにおいても適用可能である。
【０１８６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１８７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８８】
１（１Ａ、１Ｂ）  端末装置
３  基地局装置
１０  ＴＸＲＵ
１１  位相シフタ
１２  アンテナ
１０１  上位層処理部
１０３  制御部
１０５  受信部
１０７  送信部
１０９  アンテナ
３０１  上位層処理部
３０３  制御部
３０５  受信部
３０７  送信部
１０１１  無線リソース制御部
１０１３  スケジューリング情報解釈部
１０１５  チャネル状態情報報告制御部
１０１７  サウンディング参照信号制御部
１０５１  復号化部
１０５３  復調部
１０５５  多重分離部
１０５７  無線受信部
１０５９  測定部
１０７１  符号化部
１０７３  変調部
１０７５  多重部
１０７７  無線送信部
１０７９  上りリンク参照信号生成部
３０１１  無線リソース制御部
３０１３  スケジューリング部
３０１５  チャネル状態情報報告制御部
３０１７  サウンディング参照信号制御部
３０５１  復号化部
３０５３  復調部
３０５５  多重分離部
３０５７  無線受信部
３０５９  測定部
３０７１  符号化部
３０７３  変調部
３０７５  多重部
３０７７  無線送信部
３０７９  下りリンク参照信号生成部
【図１】
2020025215.tif 000003
【図２】
2020025215.tif 000004
【図３】
2020025215.tif 000005
【図４】
2020025215.tif 000006
【図５】
2020025215.tif 000007
【図６】
2020025215.tif 000008
【図７】
2020025215.tif 000009
【図８】
2020025215.tif 000010